(57)【要約】      （修正有）【課題】ミシンの押え金、平行縫いや、端縫いの範囲を広く求め、かつ正確な縫い目を形成する。【解決手段】押え金、表面針落溝の中心より左右対象に針落穴より押え金前側先端まで１．５ｍｍ間隔に各々３本の誘導を引き、右利き左利きの習慣性にも対応、又右側１０ｍｍのところにも誘導線を備える。さらに押え金そのものの右側端１５ｍｍ、左側端８ｍｍも利用対象となる。押え金に幾通りもの筋目を針落溝に平行に引き、縫製物の平行縫いを簡単にかつ綺麗に縫い上げるコツは押え金に誘導線を引く。【選択図】図１
0003134644.tif 000002
【実用新案登録請求の範囲】
【請求項１】
針落穴と、この針落穴から略垂直方向に延没される針落溝とを有するミシンの押え金において、前記押え金の針落穴から前記押え金の前側先端まで前記針落溝に平行で縫製の際に使用する誘導線を所望の間隔で複数本引いたことを特徴とするミシンの押え金。
【考案の詳細な説明】
【技術分野】
【０００１】  本考案はミシンの押え金に関すること、縫製の際の平行線縫いや端縫いを簡単かつ綺麗な縫い上がりにするための押え金に関すること。
【背景技術】
【０００２】  従来のミシンにおいてミシンテーブル面に引かれた筋目はミシンメーカ各社に数多く見られるが押え金に引かれた誘導線のようなものは見当たらない、ミシンテーブル面の筋目は縫製の際に縫製物を押え金ではさむことにより筋目は縫製物で隠されてしまうのであまり役に立たないことが多い。従来の押え金は誘導線のような案内線が無いため縫い目が蛇行して綺麗な縫製が出来難い。始めてミシンに接する子供達や久しぶりにミシンを使用する人達が先ずつまずくところが細い部分や端縫いの縫製である、安定した位置が決まらずあやふやな踊った針跡が連なるばかりである。このため平行縫いや細い箇所、狭い箇所等の縫製の際はシツケ糸やチヤコ等で印しを付ける等の手間のかかる作業をしなければならない。【０００３】
【特許文献】  実開平５−１４６８号公報
【考案の開示】
【考案が解決しようとする課題】
【０００４】  押え金はミシンメーカ各社により色々と形が異なり色々な特徴を備えた押え金が付属品として数多く有る。ミシン本体は高い技術力によって開発され驚くほどの機能を搭載しており指先一本のタッチでスタート、ストップあるいは各種作業の命令も簡単に処理されて機能をいかんなく発揮してくれる、現代のミシンは最高である。ところがどうしても単純明解であるはずの真っすぐな縫い目を作り出すことが大変難しい、それは縫製物を一番始めに受け入れる押え金に問題が有ると思われる、押え金は縫製物をしっかり押えてスイッチを入れると押え金の下側にある送り歯によって後方へと送り出され縫い目となって現実的なものになる。この時誘導線が引いてあればそれに従って指先を軽く添えて縫い進めてゆけば落ち着いた綺麗な縫い目で仕上げる事が出来る。縫製の際視線はいつも押え金の針落穴、針落溝のあたりや押え金の前側先端部のあたりを見つめているので押え金に誘導線を引き目印を決めることで綺麗な直線縫いや並行線縫いが出来ると考える。
【課題を解決するための手段】
【０００５】  請求項１にて記載の考案は、針落穴とこの針落穴から略垂直方向に延没される針落溝とを有するミシンの押え金において、前記押え金の針落穴から前記押え金の前側先端まで、前記針落溝に平行で縫製の際に使用する誘導線を所望の間隔で複数本引いたことを特徴とするミシンの押え金である、押え金とは平らな矩形板のほぼ中央部に針落穴が形成されこの針落穴から平らな矩形板の前側先端部まで直すぐに伸びた針落溝が形成されたものである。
【考案の効果】
【０００６】  押え金の針落溝に平行な筋目を針落溝中心より左右に１．５ｍｍ間隔で誘導線を３本引く、さらに中心より右側１０ｍｍのところに１本誘導線を引く。押え金の幅は針落溝中心より左側は８ｍｍ位の幅とし右側は針落溝中心より１５ｍｍ位の幅にするこの押え金の両端を利用することで広範囲な平行縫いや直進縫いが簡単に可能となる、誘導線を備えることにより細い部分や平行縫いの際の手ぶれによる蛇行を防ぎ思ったとおりの縫製物が仕上がる。従来のように縫製箇所にシツケ糸によるシツケを入れることもなく簡単かつ綺麗に縫製することが可能となる、又色々の誘導線の幅を利用する事で幾通りの平行線を縫いだすことが出来る様になる、幅１５ｍｍ以内の平行縫いが押え金一つで簡単に縫製することが出来る。ミシンを教える指導者達においても誘導線が引いてあれば初心者を指導する際に簡単、かつ明解な説明をすることが出来る。
【考案を実施するための最良の形態】
【０００７】  縫製物の端縫いや平行縫いを簡単に、かつ綺麗に縫製するために押え金の針落溝に平行にそれぞれ所望の幅で縫製物縫製の際の誘導線とした線を複数本引く、その誘導線に赤色等の目立つ色素を埋め込むことにより鮮明な誘導線となる。又押え金の幅も針落溝中心より左右異なる幅にしておくと押え金の端を利用した誘導線の代わりとなり幅の広い平行縫いや幅の細い平行縫い等色々の選択肢の一部になる。押え金の材質は金属や合成樹脂等の素材でよい。透明な素材だと誘導線が引かれたその下の縫製物が押え金の表面から透けて見えるので誘導線に沿っているかどうか確認する事ができる。又透明なシールに誘導線を引いて押え金に貼り付けたり取り外したりする事も可能である。
図４は１４の縫目は縫製物を１の押え金で押え８の誘導線に縫製物を合せまっすぐな端縫いをしているところ、利き手や縫製物のデザイン等により９の誘導線も利用すると良い、図４の場合、縫製物を針落溝より左側に置いて縫製しているところ。
図５は図４の端縫いを完成させた後、もう１本の平行縫いをしているところ、この時は縫製物を左側において５の誘導線を選び１０ｍｍ幅の平行縫いを行っている。
図６は広い縫製物の切変線や張り付けポケット等の場合の縫製方法である、１２の幅端である８ｍｍの押え金の端を利用して飾りを兼ねた平行縫いをしているところ、まず始めに９の誘導線を使って端縫いを完成させておく、次に１２の押え金の左端を誘導線として縫製すると８ｍｍ幅の平行縫いが完成する。
いつの場合も選んだ誘導線にきっちりと縫製物を合せ正しい位置に針を下ろし、押え金で縫製物を押えスイッチを入れゆっくりと縫い始める、縫製物が誘導線上に正しく有るかを確かめながら正しく添うように指でなぞりながら縫製物を介助します、スイッチを入れると縫製物はどんどん後方へ送り出されるが始めに選んだ幅の誘導線に指先を添えて縫い進むと最後まで綺麗な縫い目が揃い美しく仕上がる。
【実施例】
【０００８】  １は押え金の表面、押え金は縫製物を上から押え、下側にある送り歯と一体となり縫製物を後方へと送り出す、押え金の圧力は強すぎず、弱すぎず丁度良い圧力にするのが良い、現在の一般的ミシンは縫製物の種類によって若干の調節が出来るようになっている、押え金は、縫製物をしっかり押えて後方へ送りだすことが本来の目的ではある、進入して来た縫製物を蛇行や針落ちも無く綺麗な針目を造り無事に後方へと送り出すことこそ押え金の最重要な役目だと考える、押え金は布を押えるだけでなく押え金の表面に誘導線を引き、進入してくる縫製物を正しい方へ導くように目的に合った誘導線を選びだし縫製物に軽く指を添え、縫製物を介助しながら後方へと送り出すことで押え金の役目をはたす。
２の針落ち穴の箇所は針が左右に振る機能を内蔵しているミシンが従来より多いので横楕円形となっているが本考案の針落穴は楕円形の中心の一点にある、その針落穴を目指して押え金の前側先端より縫製物を送り込む。
３の針落溝の箇所は針落穴の前側にあり押え金全体の中心部にある、針落溝中心を主軸として左右のバランスを整え誘導線の基礎的な役割を果たす、細い端縫いの際には溝内側のほんの少しの隙間から見え隠れする縫製物の確実な位置を確認する事が出来る。
４は押え金の右側針落溝より幅の広い方の押え金の端になる、針落溝中心より右側の端まで１５ｍｍ位あるので幅の広い平行縫いの時大変便利で使いよい、幅の広い平行縫いの時、糸でシツケをかけたりチャコで印しをつけたりの手間が係ったが面倒な事は少しでもはぶいた方が良い、張付けポケットや袋物等の飾りミシン、厚手のコートの打合せの平行縫い等々に利用。
５は針落溝中心より右側針落溝に平行な１０ｍｍの位置の誘導線、１０ｍｍ幅の平行縫いは縫製上使用する縫い幅のうちでも日常的に使われる幅である、ここに誘導線が引いてあることによりどれだけ早く綺麗に縫製出来るか計り知れないものがある、誘導線に布地を合わせ指先でそっと縫製物を助けるだけで綺麗に仕上がる、シツケもチャコも不用、襟、前身頃の打合せ、ポケット等々に使用。
６と１１は針落溝中心より平行に左右各々４．５ｍｍ幅の位置にある誘導線。平行縫いの場合縫い幅があまり広くもなく、狭くもなくどの位の幅の平行線を選ぶかデザインを考慮に入れながら丁度よい平行な幅を決定することは楽しい作業でもある、ブラウス、カッターシャツ等々の仕上げに使用。
７と１０は針落溝中心より平行に左右各々３ｍｍ幅の位置にある誘導線、この誘導線を利用すると少し深めの端縫いに仕上がる、２本目の平行線を入れる時、針落溝より右側１０ｍｍの位置の誘導線に縫製物を合わせて縫製すると布端より深めの所に平行縫いが出来てひとつのデザインとしての縫い目が造りだされる。
８と９は針落溝中心より平行に左右各々１．５ｍｍ幅の位置にある誘導線、端縫いの本領を一番に発揮するのはこの幅ではないかと考える、縫製の際に針落ちの心配もなくすっきりと、真っすぐにしかも綺麗に縫製するのに、この誘導線が大活躍すると思われる、縫製物を誘導線にピッタリと合わせ押え金の前側先端の筋目から縫製物が離れないように指先で誘導線に添いながら針の方向へと送り込む、縫製物を誘導線にピッタリと合せ目印を見失なわないことが大切である。又縫製物の形や手向き、利き手に対応出来るようにするために針落溝中心より同じ幅で誘導線を左右に引いた。
１２は押え金の端、針落溝から左側にある針落溝中心より８ｍｍ幅の押え金の端である、８ｍｍの平行縫いの時使用する、以上数本の誘導線と押え金の両端を利用することで平行縫いが簡単になり広範囲の幅の平行縫いが手間をかけずに出来る。
【産業上の利用可能性】
【０００９】  一般に縫製工場の工業用ミシンにおいても本縫いや平行縫いはやはり難所の一つである、たかが一筋の平行縫いと言えども社運の一端を担っている、美しく、早く、量産が会社のモットーとなれば押え金に誘導線が引いてあることだと考える。広く学校関係等においても、初級から上級、専門学校、ミシン使用専門の職業等々の分野で誘導線を備えた押え金を持つミシンを一回使用すれば誘導線の引いてあることの素晴らしさに気付くとおもわれる。
【図面の簡単な説明】
【００１０】
【図１】ミシン押え金の表面図
【図２】ミシン押え金の前方側面図
【図３】ミシン押え金の斜視図
【図４】８の誘導線に縫製物を合せて端縫いの概念図
【図５】５の誘導線に縫製物合わせて１０ｍｍ幅の平行縫いの概念図
【図６】８の誘導線を使い端縫いした後１２の押え金端を使い広幅の切り替え平行線を縫製の概念図
【符号の説明】
【００１１】  １  ミシン押え金
２  針落穴
３  針落溝
４  針落溝中心より右側１５ｍｍの位置の押え金本体の端
５  針落溝中心より右側１０ｍｍの位置の平行誘導線
６  針落溝中心より右側４．５ｍｍの位置の平行誘導線
７  針落溝中心より右側３ｍｍの位置の平行誘導線
８  針落溝中心より右側１．５ｍｍの位置の平行誘導線
９  針落溝中心より左側１．５ｍｍの位置の平行誘導線
１０  針落溝中心より左側３ｍｍの位置の平行誘導線
１１  針落溝中心より左側４．５ｍｍの位置の平行誘導線
１２  針落溝中心より左側８ｍｍの位置の押え金本体の端
１３  押え金のミシン本体への装着部位
１４  縫製が終わったミシンの縫い目
１５  縫製中の布地
【図１】
0003134644.tif 000003
【図２】
0003134644.tif 000004
【図３】
0003134644.tif 000005
【図４】
0003134644.tif 000006
【図５】
0003134644.tif 000007
【図６】
0003134644.tif 000008